(57)【要約】【課題】ＯＰＧＷ回線障害の際に、速やかに迂回ルートを構成することの可能なＯＰＧＷシステムを提供する。【解決手段】ＯＰＧＷ回線の障害の発生しやすい区間のみに事前にバックアップの為の予備ルートとして，配電線添架光ケーブル２０を構成して２ルート化を図っておく。ＯＰＧＷ回線障害時は，事業所にある通信回線切替スイッチ６ａ，６ｂでＯＰＧＷ回線障害時に自動的に迂回ルート回線（予備回線）に切り替えることで回線停止時間を短縮できる。【選択図】    図１
2005191727.tif 000002
【特許請求の範囲】
【請求項１】
第１及び第２の光信号伝送装置と、前記第１及び第２の光信号伝送装置の間に設置された複数の鉄塔と、前記複数の鉄塔に架設された架空送電線と、前記架空送電線に並設されると共に前記第１及び第２の光信号伝送装置に接続され、前記光信号伝送装置の間で光信号の伝送を行う複数のＯＰＧＷ芯線を有するＯＰＧＷ回線が備えられ、
前記ＯＰＧＷ回線の他に、通常時には使用されない予備の光ファイバケーブルが、前記第１及び第２の光信号伝送装置の間で光信号の伝送が可能な様に前記架空送電線に並設され、
前記複数の鉄塔の第１の鉄塔及び第２の鉄塔には、前記予備の光ファイバケーブルを前記鉄塔から引き入れる為の接続箱が設けられ、
前記第１の光信号伝送装置に接続されている前記予備の光ファイバケーブルは、前記第１の鉄塔の接続箱から引き出され、配電線に添架されている配電線添架光ファイバケーブルに接続され、前記配電線添架光ファイバケーブルは、前記第２の鉄塔の接続箱で、前記第１の光信号伝送装置に接続されている前記予備の光ファイバケーブルに接続されており、
更に、前記第１及び第２の光信号伝送装置には、通常時に通信に用いられる前記ＯＰＧＷ回線を前記予備の光ファイバケーブルに切り換える切り換えスイッチが設けられていることを特徴とするＯＰＧＷシステム。
【請求項２】
前記予備の光ファイバケーブルは、架空送電線の分岐等で、利用されないで残っているＯＰＧＷ芯線と配電線添架光ファイバケーブルとを接続箱で接続して構築することを特徴とする請求項１に記載のＯＰＧＷシステム。 
【発明の詳細な説明】
【技術分野】
【０００１】
本発明は、ＯＰＧＷシステムに関し、特に、ＯＰＧＷ回線障害が起こった際に利用するバックアップ技術に関する。
【背景技術】
【０００２】
架空送電線の鉄塔上部の架空地線（避雷線）には、ＯＰＧＷ（光ファイバ）芯線が内蔵されており、発電所や変電所を通信ネットワークで接続している。この光ファイバ網を、光ファイバ複合架空地線（ＯＰＧＷ＝composite fiber OPtical overhead Ground Wire）回線と呼ぶ。このＯＰＧＷ回線は、架空送電線保護リレー回線等の重要な電力保安用通信回線に利用されている。
【発明の開示】
【発明が解決しようとする課題】
【０００３】
一方、近年，冬季から早春にかけて、ＯＰＧＷ回線障害が多発する傾向にある。これは、経年劣化等による被覆部ひび割れからの水の混入に起因するものと考えられる。ＯＰＧＷ障害時は，事業所間を配電線添架光ファイバケーブルで迂回ルートを構成していた。ＯＰＧＷ回線障害の場合、改修するのに架空送電線の停電作業となるケースが多く、所定の停電作業要求手続を経て、重負荷時を避けて行う必要がある。
【０００４】
また，近辺の配電線添架光ファイバケーブルルートを用いて迂回ルート（配電線添架）を構成するのも大変な労力と費用と時間がかかる。特に、架空送電線保護リレー回線等の重要な電力保安用回線が乗っており，社会的影響も大となる。
【０００５】
本発明は、以上の課題を解決するためになされたものであり、ＯＰＧＷ回線障害の際に、速やかに迂回ルート（予備回線）に切替えることが可能なＯＰＧＷシステムを提供することを目的とする。
【課題を解決するための手段】
【０００６】
上記課題を解決するために、本発明によるＯＰＧＷシステムは、第１及び第２の光信号伝送装置と、前記第１及び第２の光信号伝送装置の間に設置された複数の鉄塔と、前記複数の鉄塔に架設された架空送電線と、前記架空送電線に並設されると共に前記第１及び第２の光信号伝送装置に接続され、前記光信号伝送装置の間で光信号の伝送を行う複数のＯＰＧＷ芯線を有するＯＰＧＷ回線が備えられ、前記ＯＰＧＷ回線の他に、通常時には使用されない予備の光ファイバケーブルが、前記第１及び第２の光信号伝送装置の間で光信号の伝送が可能な様に前記架空送電線に並設され、前記複数の鉄塔の第１の鉄塔及び第２の鉄塔には、前記予備の光ファイバケーブルを前記鉄塔から引き入れる為の接続箱が設けられ、前記第１の光信号伝送装置に接続されている前記予備の光ファイバケーブルは、前記第１の鉄塔の接続箱から引き出され、配電線に添架されている配電線添架光ファイバケーブルに接続され、前記配電線添架光ファイバケーブルは、前記第２の鉄塔の接続箱で、前記第１の光信号伝送装置に接続されている前記予備の光ファイバケーブルに接続されており、更に、前記第１及び第２の光信号伝送装置には、通常時に通信に用いられる前記ＯＰＧＷ回線を前記予備の光ファイバケーブルに切り換える切り換えスイッチが設けられていることを特徴とする。
【０００７】
好ましくは、前記予備の光ファイバケーブルは、架空送電線の分岐等で、利用されないで残っているＯＰＧＷ芯線と配電線添架光ファイバケーブルとを接続箱で接続して構築することを特徴とする。
【発明の効果】
【０００８】
従って、本発明のＯＰＧＷシステムによれば、ＯＰＧＷ回線障害時は，短時間で迂回ル−トに切り替えることができ，回線停止時間を短縮できる。また、本発明のＯＰＧＷシステムの構築自体も、冬季から早春（ＯＰＧＷ障害多発期間）までに、計画的に実施でき、工事費用も割安となる。
【発明を実施するための最良の形態】
【０００９】
図１は、本発明の一実施形態であるＯＰＧＷ障害時の予備回線切替のためのＯＰＧＷシステムを示す概略図である。ここで、Ａ事業所〜Ｂ事業所間には、複数の鉄塔１０が設置されており、架空送電線１２が架設されている。また、鉄塔上部の架空地線には、ＯＰＧＷ（光ファイバ）芯線が内蔵されており、鉄塔数基ごとに鉄塔上部の融着箱１４ａ、１４ｂで融着接続している。この融着箱１４ａ、１４ｂから、適宜、ＯＰＧＷ芯線を引き出して利用することが出来る。
【００１０】
一般的に、ＯＰＧＷシステムでは、冬〜春先にかけて、障害が発生することが多く、また、どこでも同じように障害が起こるのではなく、特に頻度の高い区間が存在する。本発明によるＯＰＧＷシステムでは、この障害多発区間に，迂回ル−トを事前に構成する。
【００１１】
その目的のために、予備の光ファイバケーブルを、通常の光ファイバケーブルと併設する。実際には、ＯＰＧＷ芯線は架空送電線の分岐等で、空き芯線が利用されないで残っているケースがあるので，これを有効活用する。
【００１２】
この予備の光ファイバケーブルを、迂回ルートとして利用する。例えば、ＯＰＧＷ障害多発区間を挟んで、最も近い融着箱が融着箱１４ａと融着箱１４ｂとする。融着箱１４ａから、予備のＯＰＧＷ芯線を引き出して、そこに連絡光ファイバケーブル１７ａの芯線と融着接続する。連絡光ファイバケーブルは、鉄塔下部に設けられた接続箱１８ａで光コネクタ接続を行う。そして、融着箱１４ｂ迄、配電線ルートに沿ってケーブル支持体１６により配電線添架用光ファイバケーブル２０を敷設する。融着箱１４ｂでは、やはり、対応する予備のＯＰＧＷ芯線を引き出して、そこに、連絡光ファイバケーブル１７ｂの芯線と融着接続し、鉄塔下部に設けられた接続箱１８ｂで光コネクタ接続を行い、配電線添架用光ファイバケーブル２０と接続する。これで迂回ルートが完成する。
【００１３】
図２は、鉄塔内の、光ファイバケーブルの接続を説明するための図である。ここで、融着箱１４から引き出した連絡光ファイバケーブル１７は、鉄塔１０内に収めながら、接続箱１８に収納される。そして、接続箱１８内で、配電線添架用光ファイバケーブル２０と光コネクタ接続される。
【００１４】
図３は、融着箱１４内の、ＯＰＧＷ芯線の接続を説明するための図である。ＯＰＧＷから引き出されたＯＰＧＷ芯線の内、予備のＯＰＧＷ芯線８ｂは、連絡光ファイバケーブル１７により、鉄塔下部に設けられた接続箱へ下ろされる。一方、通常時に使用されるＯＰＧＷ芯線８は隣接するＯＰＧＷへ接続される。
【００１５】
一方、Ａ事業所及びＢ事業所では、通常の光ファイバケーブルを、この予備の光ファイバケーブルに切り換える通信回線切替スイッチ６ａ、６ｂが設けられている。この切替スイッチ６ａ、６ｂは、光ファイバケーブルに光信号を入力する光信号伝送装置４ａ、４ｂの伝送路側に設けられている。
【００１６】
ＯＰＧＷ回線障害時は，Ａ事業所及びＢ事業所にある切替スイッチ６ａ、６ｂによって、障害の生じた通常のＯＰＧＷ回線を、予備の光ファイバケーブルに切り換える。これにより、迂回ル−トを構成し、直ちに障害を復旧させることが出来る。
【００１７】
以上、本発明を実施形態により説明したが、当業者にとっては、本発明が本願中に説明した実施形態に限定されるものではなく、多くの変形例および実装例が、発明の上記の実施形態に対してなし得ることは明らかである。
【００１８】
例えば、対象となるＯＰＧＷ回線と配電線添架光ファイバケーブル等の地図情報と、上記実施形態によるＯＰＧＷシステムとをリンクさせることで、迂回ルート（配電線添架）探索が効率的に行うことが出来る。
【図面の簡単な説明】
【００１９】
【図１】本発明の一実施形態であるＯＰＧＷ障害時の予備回線切替のためのＯＰＧＷシステムを示す概略図である。
【図２】鉄塔内の、光ファイバケーブルの接続を説明するための図である。
【図３】融着箱内の、ＯＰＧＷ芯線の接続を説明するための図である。
【符号の説明】
【００２０】
４ａ、４ｂ     光信号伝送装置
６ａ、６ｂ     通信回線切替スイッチ
８、８ｂ     ＯＰＧＷ芯線
９  ＯＰＧＷ
１０     鉄塔
１２     架空送電線
１４、１４ａ、１４ｂ  融着箱
１７、１７ａ、１７ｂ  連絡光ファイバケーブル
１８、１８ａ、１８ｂ  接続箱
２０  配電線添架用光ファイバケーブル
【図１】
2005191727.tif 000003
【図２】
2005191727.tif 000004
【図３】
2005191727.tif 000005